(57)【要約】【課題】触感で分かりやすい固定部と可動部を用いると共に、固定部に触感で識別できるような凹凸のある記号や点字で各定形サイズ合わせた位置を示すことにより、目の不自由な人や弱視の人でも簡単に原稿を正しく原稿台に置くことができるようにした画像出力装置の原稿位置合せ補助装置を提供する。【解決手段】画像出力装置の原稿位置合わせ補助装置において、該原稿位置合せ補助装置を、コンタクトガラス２を備えた原稿台の四辺に沿って設置される四角い枠状の固定部３と、該固定部３に対し横方向及び縦方向へ移動可能な二つの可動部４とにより構成し、前記二つの可動部４とコンタクトガラス２の所定のコーナ部に接する固定部３の両辺とで囲まれたエリアを操作者に原稿積置位置として示し得るようにした。【選択図】        図１
2004271546.tif 000002
【特許請求の範囲】
【請求項１】
画像出力装置の原稿位置合わせ補助装置において、該原稿位置合せ補助装置を、コンタクトガラスを備えた原稿台の四辺に沿って設置される四角い枠状の固定部と、該固定部に対し横方向及び縦方向へ移動可能な二つの可動部とにより構成し、前記二つの可動部とコンタクトガラスの所定のコーナ部に接する固定部の両辺とで囲まれたエリアを操作者に原稿積置位置として示し得るようにしたことを特徴とする原稿位置合わせ補助装置。
【請求項２】
請求項１記載の原稿位置合わせ補助装置において、前記固定部は、可動部の各端部を嵌め込める溝を備え、前記二つの可動部はともに細長い片持ち状であって、二つの可動部の各端部は、前記固定部の溝に嵌め込まれ、前記溝に沿ってそれぞれ横方向と縦方向に移動可能にしたことを特徴とする原稿位置合わせ補助装置。
【請求項３】
請求項１又は請求項２記載の原稿位置合わせ補助装置において、前記固定部には定型サイズ合わせ位置の提示手段が設けられ、操作者は前記定型サイズ合わせ位置の提示手段によって、所望の定型サイズを提示した位置に前記二つの可動部を移動し、所望の原稿積置位置を設定するようにしたことを特徴とする原稿位置合わせ補助装置。
【請求項４】
請求項３記載の原稿位置合せ補助装置において、前記定型サイズ合わせ位置の提示手段として、固定部に各定型サイズ合わせ位置に凹凸のある記号や点字などのような触感で識別できる文字が刻設したことを特徴とする原稿位置合わせ補助装置。
【請求項５】
請求項３又は請求項４記載の原稿位置合せ補助装置において、固定部の各定型サイズ合わせ位置に可動部端部を固定する溝を設けたことを特徴とする原稿位置合わせ補助装置。
【発明の詳細な説明】
【０００１】
【発明の属する技術分野】
本発明は、目の不自由な人や弱視の人でも、複写機やスキャナーなどのような画像出力装置の原稿台に原稿を簡単に正しくセットできるようにした、画像出力装置の原稿位置合せ補助装置に関するものである。
【０００２】
【従来の技術】
近年、画像出力装置のユニバーサルデザインやその操作のアクセシビリティがますます注目され、誰でも画像出力装置を簡単に使えるようにすることは重要な課題となっている。例えば、複写機やスキャナー等の画像出力装置を使用する場合、目の不自由な人や弱視の人にとっては、原稿を正しく原稿台に置いたかどうかはとても確認しづらいという問題がある。
これまでも、簡単に原稿を正しく原稿台に置くことができるようにするための提案がいくつかある。例えば、原稿用紙を積置するコンタクトガラスの面に定形原稿のアウトラインを印刷することで、操作者に原稿積置位置を提示するという提案がある（例えば、特許文献１参照）。
また、コンタクトガラス上に微細な凹凸面を形成して定形原稿のアウトラインを示すことにより、操作者に原稿積置位置を提示するという提案も存在する（例えば、特許文献２参照）。
【特許文献１】特開平０５−１００３２６号公報
【特許文献２】特開平０６−１９１６４８号公報
【０００３】
【発明が解決しようとする課題】
しかしながら、上記従来技術はともに正常な視力を有する者にとって有効な方法であるが、目の不自由な人や弱視の人にとっては、コンタクトガラス上の印刷されている線や微細な凹凸面を触感で識別するのは、非常に困難である。
本発明は、上述の実情に鑑み、触感で分かりやすい固定部と可動部を用いると共に、固定部に触感で識別できるような凹凸のある記号や点字で各定形サイズ合わせた位置を示すことにより、目の不自由な人や弱視の人でも簡単に原稿を正しく原稿台に置くことができるようにした画像出力装置の原稿位置合せ補助装置を提供することを目的としてなしたものである。
【０００４】
【課題を解決するための手段】
前記の課題を解決するために、請求項１記載の発明は、画像出力装置の原稿位置合わせ補助装置において、該原稿位置合せ補助装置を、コンタクトガラスを備えた原稿台の四辺に沿って設置される四角い枠状の固定部と、該固定部に対し横方向及び縦方向へ移動可能な二つの可動部とにより構成し、前記二つの可動部とコンタクトガラスの所定のコーナ部に接する固定部の両辺とで囲まれたエリアを操作者に原稿積置位置として示し得るようにしたことを最も主要な特徴とする。請求項２記載の発明は、請求項１記載の原稿位置合わせ補助装置において、前記固定部は、可動部の各端部を嵌め込める溝を備え、前記二つの可動部はともに細長い片持ち状であって、二つの可動部の各端部は、前記固定部の溝に嵌め込まれ、前記溝に沿ってそれぞれ横方向と縦方向に移動可能にしたことを主要な特徴とする。
請求項３記載の発明は、請求項１又は請求項２記載の原稿位置合わせ補助装置において、前記固定部には定型サイズ合わせ位置の提示手段が設けられ、操作者は前記定型サイズ合わせ位置の提示手段によって、所望の定型サイズを提示した位置に前記二つの可動部を移動し、所望の原稿積置位置を設定するようにしたことを主要な特徴とする。
請求項４記載の発明は、請求項３記載の原稿位置合せ補助装置において、前記定型サイズ合わせ位置の提示手段として、固定部に各定型サイズ合わせ位置に凹凸のある記号や点字などのような触感で識別できる文字が刻設したことを主要な特徴とする。
請求項５記載の発明では、請求項３又は請求項４記載の原稿位置合せ補助装置において、固定部の各定型サイズ合わせ位置に可動部端部を固定する溝を設けたことを主要な特徴とする。
【０００５】
【発明の実施の形態】
以下、図面により本発明の実施の形態を詳細に説明する。図１〜図５は本発明の実施の形態の一例である。図１中、１は複写機やスキャナー等の画像出力装置本体、２は画像出力装置本体１の原稿台に設けられて原稿を載置し得るようにした、コンタクトガラス、３は原稿位置合わせ補助装置の固定部、４は原稿位置合わせ補助装置の可動部である。
固定部３は平面形状が矩形状であり、且つコ字状の縦断面形状を備える。そして、コンタクトガラス２の外周縁に沿って固定配置されている。可動部４は、横方向へ移動し得るようにした縦部材４ａ及び縦方向へ移動し得るようにした横部材４ｂを備えている。而して、固定部３の内側部には、図２に示すように、２本の可動部４の夫々の端部を嵌め込むため、固定部３の長手方向へ沿い延びる溝３ａを備えており、可動部４の横部材４ｂ及び縦部材４ａは、夫々、溝３ａに沿って固定部３の長手方向へ摺動し得るようになっている。
図３に示すように、固定部３には定形サイズ位置提示手段５が形成されており、定形サイズ位置提示手段５は各定形サイズ位置に凹凸のある文字や記号によって実現されている。
固定部３の定形サイズ位置提示手段５が形成された各定形サイズ位置には、可動部４の端部を固定できるような溝（切欠き）３ｂがあって、操作者は、所望定形サイズ位置の設定を容易に行い得るようになっている。
【０００６】
次に、上記図示例の原稿位置合せ補助装置により、Ａ５サイズの原稿の位置設定を行う場合について図５を参照しつつ説明する。図５中、１１は原稿台のコンタクトガラス２において原稿を積置する原稿積置位置、Ｄ１は可動部４における横部材の縦移動方向、Ｄ２は可動部４における縦部材の横移動方向であり、図中、図１〜図４に示すものと同一の部分には、同一の符号が付してある。
可動部４が図５の仮想線の位置にあり、この可動部４をＡ５の原稿を積置する位置に設定する場合には、可動部４の横部材４ｂを固定部３の縦部材の溝３ａに沿い縦移動方向Ｄ１に移動させ、可動部４の縦部材４ａを固定部３の横部材の溝３ａに沿い横移動方向Ｄ２へ移動させて、固定部３の縦部材及び横部材の各定形サイズ位置に凹凸のある文字で示されている、定形サイズ位置提示手段５であるＡ５と示されている位置に合わせ、さらに固定部３に示されているＡ５の位置にある溝３ｂに可動部４の縦部材４ａ及び横部材４ｂの各端部を嵌め込み、可動部４を固定する。
可動部４を図５の実線位置に移動させて、Ａ５の原稿に対する設定位置に設定したら、操作者は二つの可動部とコンタクトガラスの左上の端部に接する両辺で囲まれたエリアである原稿積置位置１１に原稿を置く。
上記図示例では、目の不自由な人や弱視の人を配慮しており、固定部３に各定形サイズ位置を凹凸のある文字で示してあるため、操作者は触感で原稿を積置する位置を識別することができる。
また、横部材及び縦部材である二つの可動部４を固定部３の溝３ａに沿ってそれぞれ横方向と縦方向へ移動し、所望の原稿サイズ位置に簡単に合わせることができる。このため、二つの可動部４とコンタクトガラス２の左上の端部に接する両辺で囲まれたエリアは原稿を置く位置１１であって、二つの可動部４とコンタクトガラス２の左上の端部に接する両辺の位置はともに触感で識別できるため、目の不自由な人や弱視の人でも原稿を正しく置くことが可能となる。
さらに、固定部３の各定形サイズ位置に可動部４の端部を固定できるような溝３ｂを設け、可動部４の各端部をそれぞれ前記の溝３ｂに嵌め込んで固定することができ、操作者は所望の原稿サイズ位置に合わせた後に、二つの可動部４は不用意に動かされることがなく、そのための原稿積置位置のずれを回避できる。
【０００７】
【発明の効果】
本発明の原稿位置合わせ補助装置によれば、触感で原稿積置位置を識別することができるため、目の不自由な人や弱視の人でも、複写機やスキャナーなどのような画像出力装置の原稿台に原稿を簡単に正しくセットでき、しかも可動部は不用意に動かされることがないため、原稿積置位置のずれを回避することができるという優れた効果を奏し得る。
【図面の簡単な説明】
【図１】本発明の原稿位置合わせ補助装置が適用される画像出力装置本体の斜視図である。
【図２】図１の原稿位置合わせ補助装置に用いる固定部の斜視図である。
【図３】図１の平面図である。
【図４】図１の原稿位置合わせ補助装置に用いる固定部の斜視図で、可動部の端部が嵌り込む溝を示す斜視図である。
【図５】本発明の原稿位置合わせ補助装置により原稿を所定の積置位置に積置する手順を示す平面図である。
【符号の説明】
１    画像出力装置本体
２    コンタクトガラス
３    固定部
３ａ  溝
３ｂ  溝
４    可動部
５    定形サイズ位置提示手段
【図１】
2004271546.tif 000003
【図２】
2004271546.tif 000004
【図３】
2004271546.tif 000005
【図４】
2004271546.tif 000006
【図５】
2004271546.tif 000007